(57)【要約】【課題】ランプ電流またはランプ電力を一定化する制御よりもさらに低光束まで安定して調光点灯可能な低圧放電灯点灯装置を提供する。【解決手段】直流電圧源Ｖｄｃから出力される直流電圧をスイッチングする１つ以上のスイッチング素子Ｑ１，Ｑ２と、スイッチング素子Ｑ１，Ｑ２を高周波でオン・オフする駆動回路８と、スイッチング素子Ｑ１，Ｑ２によりスイッチングされた電圧を印加されて放電灯ＬＡに共振電圧を供給する共振回路とで構成されるインバータ回路４を備え、放電灯ＬＡの電圧−電流特性との交点におけるインバータ回路４の電圧−電流特性の傾きが略一定の正の値となるように、直流電圧源Ｖｄｃから出力される直流電圧またはスイッチング素子Ｑ１，Ｑ２のオン・オフを調整するフィードバック手段５を設けた。【選択図】図１
2010218961.tif 000002
【特許請求の範囲】
【請求項１】
直流電圧源から出力される直流電圧をスイッチングする１つ以上のスイッチング素子と、前記スイッチング素子を高周波でオン・オフする駆動回路と、前記スイッチング素子によりスイッチングされた電圧を印加されて放電灯に共振電圧を供給する共振回路とで構成されるインバータ回路を備える放電灯点灯装置において、
放電灯の電圧−電流特性との交点における前記インバータ回路の電圧−電流特性の傾きが略一定の正の値となるように、前記直流電圧源から出力される直流電圧または前記スイッチング素子のオン・オフを調整するフィードバック手段を設けたことを特徴とする低圧放電灯点灯装置。
【請求項２】
前記放電灯の電圧−電流特性との交点における前記インバータ回路の電圧−電流特性を１次関数式で表したとき、その切片を調光器で実質的に可変とすることを特徴とする請求項１記載の低圧放電灯点灯装置。
【請求項３】
前記調光器によって調整される１次関数式の切片は、連続的に可変とするか、または、調光時の設定値が定格点灯時の設定値の整数分の１になっていることを特徴とする請求項２記載の低圧放電灯点灯装置。
【請求項４】
前記フィードバック手段のゲインを調光のレベルに応じて変化させることを特徴とする請求項１〜３のいずれかに記載の低圧放電灯点灯装置。
【請求項５】
前記フィードバック手段の機能を放電灯の始動前はオフにし、放電灯の始動後にオンにすることを特徴とする請求項１〜４のいずれかに記載の低圧放電灯点灯装置。
【請求項６】
前記フィードバック手段は、放電灯の電圧−電流特性との交点における前記インバータ回路の電圧−電流特性の傾きが略一定の正の値となるように、前記直流電圧源から出力される直流電圧または前記スイッチング素子のオン・オフを調整する第１のフィードバック機能と、放電灯の電流の検出値が略一定となるように、前記直流電圧源から出力される直流電圧または前記スイッチング素子のオン・オフを調整する第２のフィードバック機能を、調光レベルに応じて切り替え可能としたことを特徴とする請求項１〜５のいずれかに記載の低圧放電灯点灯装置。
【請求項７】
ランプ電圧検出手段またはランプ電流検出手段を備え、ランプ電圧またはランプ電流のいずれかの検出信号が所定の閾値以上になると、インバータ回路の出力を抑制するか、又は停止させる異常検出回路を設けたことを特徴とする請求項１〜６のいずれかに記載の低圧放電灯点灯装置。
【請求項８】
放電灯の電圧−電流特性との交点におけるインバータ回路の電圧−電流特性の傾きを演算する手段は、除算用アナログＩＣ、またはマイコン、またはデジタル・シグナル・プロセッサのいずれかであることを特徴とする請求項１〜７のいずれかに記載の低圧放電灯点灯装置。
【請求項９】
センサを備え、センサの出力に応じて調光レベルを変化させることを特徴とする請求項１〜８のいずれかに記載の低圧放電灯点灯装置。
【請求項１０】
請求項１〜９のいずれかに記載の低圧放電灯点灯装置が組み込まれた照明器具。
【発明の詳細な説明】
【技術分野】
【０００１】
本発明は蛍光ランプなどの低圧放電灯をインバータにより高周波点灯させる低圧放電灯点灯装置及びそれを用いた照明器具に関するものである。
【背景技術】
【０００２】
例えば、蛍光ランプに代表される低圧放電灯を調光する放電灯点灯装置としては、商用交流電源の低周波の交流電力をインバータ回路を用いて高周波の交流電力に変換して放電灯に供給し、インバータ回路から放電灯への供給電力を調整することで放電灯を調光するものが一般的となっている。このような放電灯点灯装置においては、放電灯への供給電力を低下させたときに放電灯の点灯状態が不安定となり、ちらつきや立ち消えなどの現象が発生する虞があるため、低光束の調光点灯時においても上記現象が発生しない安定した調光性能を得ることが要求されている。
【０００３】
低光束の調光点灯時において安定した調光性能を得ることができる放電灯点灯装置の従来例として、ランプ電流を一定化する特許文献１の技術や、ランプ電力を一定化する特許文献２の技術、さらに、放電灯に印加される高周波電圧に対して、直流電圧とパルス電圧を重畳させる特許文献３の技術がある。
【０００４】
（従来例１）
図１６は特許文献１（特許第２７２７４７６号公報）に開示された従来例１の回路図である。可変ＡＣ電圧源２５はＡＣ電圧を共振ＬＣ回路２７に、その共振周波数に等しいか又は近傍の周波数で出力する。この共振ＬＣ回路２７は電流を蛍光ランプＬＡに供給する。電流センサ２９がランプを流れる電流量を感知し、検出信号を加算部３０に供給する。加算部３０はこの信号を基準信号源３１からの信号と比較し、その差に比例する誤差信号を増幅器３２に供給する。増幅器３２は電流センサ２９からの信号と基準信号源３１からの信号との差を減じるように可変ＡＣ電圧源２５を調節し、それによって蛍光ランプＬＡ中の電流の変動の大きさを減少させ、かつ回路の出力インピーダンスを増大させる。かくして、この回路の等価の出力インピーダンスは非常に高く、実際には共振ＬＣ回路２７単独のインピーダンスよりもはるかに高い。約３５ｋΩの等価の出力インピーダンスを持つこの形態のバラスト２３を有する調光回路は、定格点灯時の約１％以下の光レベルにおいてコンパクト蛍光ランプを安定に動作させることができるとされている。
【０００５】
図１７は従来例１で用いた蛍光ランプＬＡのＶ−Ｉ特性図（電圧−電流特性図）である。図中、最大の負抵抗の点Ａは、ランプが最も不安定でありかつアーク電流及び光出力に変動を呈する可能性が非常に高い動作点である。バラストの出力インピーダンスは、ランプの最大の負抵抗の点で測定され、特に調光４０％以下でバラストの出力インピーダンスは５ｋΩ以上とすることが好ましいと教示されている。
【０００６】
図１８は従来例１におけるランプのＶ−Ｉ特性（実線）とバラストのＶ−Ｉ特性（点線、一点鎖線）を示したものであり、ランプ特性とバラスト特性の交点がランプ点灯時の動作点を示している。従来例１のバラスト特性は高インピーダンス（例えば、５ｋΩ）時は（ａ）の点線で表され、ランプ電流が完全に一定となる理想的な場合には（ｂ）の一点鎖線で表される。
【０００７】
（従来例２）
図１９は特許文献２（特開２００５−３３９９７２号公報）に開示された従来例２の回路図である。この回路では、交流電源Ｖｓを低域通過フィルタ回路１を介して整流回路２に入力して整流し、さらにチョッパ回路３と平滑用キャパシタＣ０で所定の電圧の直流を得て、この平滑用キャパシタＣ０の両端電圧を直流電源としてハーフブリッジ形インバータ回路４に供給するようになっている。平滑用キャパシタＣ０の両端にはＦＥＴからなるスイッチング素子Ｑ１，Ｑ２と抵抗Ｒｓとの直列回路を接続し、ローサイド側のスイッチング素子Ｑ２と抵抗Ｒｓの直列回路には共振用インダクタＬ１と共振用キャパシタＣ１と共振用キャパシタＣ１に並列接続した放電灯ＬＡとからなる共振回路を接続し、共振用キャパシタＣ１の両端電圧を放電灯ＬＡに印加するようになっている。そして、放電灯ＬＡの出力電力を抵抗Ｒｓの両端電圧で検出し、この両端電圧と調光レベルを決める可変の基準電圧Ｖｒｅｆとをフィードバック手段５の比較器を構成する誤差増幅器ＥＡで比較してその差分に基づいた電圧信号をフィードバック信号として出力させる。そのフィードバック信号とパルス信号発生器７からの電圧信号からなる制御信号とを加算器６で加算した電圧信号に基づいて発振器８ａからのパルス信号の周波数を変調するようになっている。
【０００８】
ドライバ回路８ｂは発振器８ａの発振信号に基づいてスイッチング素子Ｑ１，Ｑ２を交互にオン・オフ駆動するゲート信号を生成するようになっている。また、チョッパ制御回路３ａはチョッパ回路３を、その出力電圧を所定電圧となるように制御するものである。なお、キャパシタＣｆｂと抵抗Ｒｆｉは誤差増幅器ＥＡの遅延素子を構成する。
【０００９】
図２０は従来例２におけるランプのＶ−Ｉ特性（実線）とバラストのＶ−Ｉ特性（点線）を示したものであり、ランプ特性とバラスト特性の交点がランプ点灯時の動作点を示している。従来例２で示すバラストのＶ−Ｉ特性（点線）は、ランプ電力Ｗｌａが一定となる制御である。このため、ランプ電力Ｗｌａとランプ電圧Ｖｌａ、ランプ電流Ｉｌａの間には、ランプ力率を１と仮定すれば、Ｗｌａ＝Ｖｌａ・Ｉｌａ（＝一定）の関係があり、ＶｌａはＩｌａの逆数（１／Ｉｌａ）に比例することになる。
【００１０】
（従来例３）
図２１は特許文献３（特開２００５−３３９９７６号公報）に開示された従来例３の回路図である。この放電灯点灯装置は、直流電源Ｅの両極間に直列接続された２つのスイッチング素子（電界効果トランジスタ）Ｑ１，Ｑ２からなるインバータ回路４ａと、ハイサイドのスイッチング素子Ｑ１の両端（ドレイン−ソース）間に直流カット用のコンデンサＣ２を介して直列接続されたインダクタＬ１及びコンデンサＣ１からなる共振回路４ｂと、共振用のコンデンサＣ１にフィラメント（図示せず）の一端が接続された放電灯（蛍光ランプ）ＬＡの各フィラメントを予熱する予熱回路４ｃとを備えている。
【００１１】
予熱回路４ｃは、共振用のインダクタＬ１に設けられて放電灯３のフィラメントの両端間に直列接続された二次巻線Ｌ２，Ｌ３と、各二次巻線Ｌ２，Ｌ３とフィラメントの非電源側の一端との間に挿入された直流カット用のコンデンサＣｆ１，Ｃｆ２とで構成される。また、２つのフィラメントの非電源側の一端同士が抵抗Ｒｄｃ１を介して接続され、これら２つのフィラメントの電源側には分圧抵抗Ｒｄｃ２，Ｒｄｃ３の直列回路及び分圧抵抗Ｒｄｃ３に並列接続された平滑コンデンサＣｄｃからなる出力検出部１６が設けられ、この出力検出部１６とフィラメント間に挿入された抵抗Ｒｄｃ１とを介して直流電源Ｅから放電灯ＬＡに直流電圧が印加されている。
【００１２】
インバータ回路４ａは、駆動回路８から出力する駆動信号がゲート抵抗Ｒｇ１，Ｒｇ２を介してゲートに与えられることによりスイッチング素子Ｑ１，Ｑ２が高周波で交互にオン・オフ（スイッチング）され、直流電源Ｅから供給する直流電圧を高周波電圧に変換する、所謂ハーフブリッジ形のものである。駆動回路８は例えば汎用のタイマＩＣからなり、外付けのコンデンサＣｘ及び３つの抵抗Ｒｘ１，Ｒｘ２，Ｒｘ３からなる周波数設定回路１５により設定される周波数で発振するものであって、その発振周波数がインバータ回路４ａの駆動周波数、すなわち、スイッチング素子Ｑ１，Ｑ２のスイッチング周波数に一致する。
【００１３】
周波数設定回路１５のコンデンサＣｘと抵抗Ｒｘ１〜Ｒｘ３に流れる電流の合成電流値が増加するにつれて駆動回路８の発振周波数が高くなり、駆動回路８の発振周波数、つまりインバータ回路４ａの駆動周波数が高くなるにつれて共振回路４ｂの共振電圧が低下して放電灯ＬＡへ供給される高周波電力も減少する。また、周波数設定回路１５には図示しない調光器から抵抗Ｒｘ２を介して調光信号Ｖｒｅｆが入力されている。この調光信号Ｖｒｅｆは調光比（定格点灯時の照度を１００％としたときの照度比）に比例した直流電圧からなり、調光比の低下に合わせて直流電圧レベルが小さくなるにつれて抵抗Ｒｘ２に流れる電流値が増加するため、周波数設定回路５の合成電流値が増加してインバータ回路４ａの駆動周波数が高くなって放電灯ＬＡが調光されるのである。
【００１４】
出力検出部１６は、放電灯ＬＡに印加される直流電圧を分圧抵抗Ｒｄｃ３の電圧降下として等価的に検出するものであって、分圧抵抗Ｒｄｃ３に並列接続された平滑コンデンサＣｄｃにより検出信号を平滑化するとともに高周波ノイズを除去している。そして、この出力検出部１６の検出信号が調光信号Ｖｒｅｆとともにフィードバック手段５に入力されている。
【００１５】
フィードバック手段５は、検出信号が入力抵抗Ｒｉｎを介して反転入力端に入力されるとともに調光信号Ｖｒｅｆが非反転入力端に入力されるオペアンプＯＰ１と、オペアンプＯＰ１の出力端と反転入力端の間に並列に接続された帰還抵抗Ｒｆｂ１及びコンデンサＣｆｂで構成されており、検出信号と調光信号Ｖｒｅｆの電圧レベルが常に等しくなるように周波数設定回路１５の電流値を増減して駆動回路８の発振周波数を調整する制御（フィードバック制御）を行うものである。
【００１６】
さらに、周波数設定回路１５の抵抗Ｒｘ３に対して、パルス電圧重畳回路１８から周期的なパルス状の電圧を印加することでインバータ回路４ａの駆動周波数を周期的に変動させ、これにより放電灯ＬＡに印加される高周波電圧（ランプ電圧）にパルス状の高電圧（パルス電圧）を重畳させている。
【００１７】
パルス電圧重畳回路１８は、オペアンプからなるバッファＢ１〜Ｂ３と、直流電圧信号Ｖｄｃと三角波のパルス信号Ｖｐｌのうち高い方の電圧を選択するダイオードＤ１，Ｄ２からなり、これら２種類の信号を合成した信号であるパルス電圧指令信号Ｖｐｃが周波数設定回路１５の抵抗Ｒｘ３に与えられる。パルス電圧重畳回路１８から出力するパルス電圧指令信号Ｖｐｃは直流電圧信号Ｖｄｃの直流電圧レベルが大きいほど振幅が小さくなる三角波のパルス信号となる。
【００１８】
周波数設定回路１５はフィードバック手段５の出力電圧レベルにより調光信号Ｖｒｅｆの調光比に応じた値に駆動回路８の発振周波数を設定するとともに、パルス電圧重畳回路１８のパルス電圧指令信号Ｖｐｃのパルス振幅に応じた周波数分だけ発振周波数を周期的に低い値に変化させる。その結果、発振周波数が周期的に小さい値に変化したときにインバータ回路４ａから共振回路４ｂを介して放電灯ＬＡに印加されるランプ電圧Ｖｌａにパルス電圧が重畳されることになる。
【００１９】
放電灯ＬＡのランプ電圧Ｖｌａは図２２に示すような波形となる。放電が不安定になりやすい調光比ではパルス電圧のピーク値を増加させ、放電が最も不安定になりやすい調光比においても放電灯ＬＡの点灯維持に必要十分なパルス電圧を印加することにより放電灯ＬＡを安定点灯することができる。
【先行技術文献】
【特許文献】
【００２０】
【特許文献１】特許第２７２７４７６号公報
【特許文献２】特開２００５−３３９９７２号公報
【特許文献３】特開２００５−３３９９７６号公報
【発明の概要】
【発明が解決しようとする課題】
【００２１】
従来例１や従来例２では、各々ランプ電流Ｉｌａをフィードバックして一定化したり、ランプ電力Ｗｌａをフィードバックして一定化しているため、調光レベルの低い点でも比較的安定に点灯できる。しかし、それらの下限より更に低光束まで調光を深くしようとすると、やはりランプのＶ−Ｉ特性とバラストのＶ−Ｉ特性が乖離を起こし、結果的にランプの立ち消えやちらつき、動作点のジャンプといった望ましくない現象が発生してしまう。
【００２２】
また、従来例３の場合、直流電圧成分の重畳やパルス状電圧の印加によって、低光束まで安定に点灯できるものの、制御回路が複雑化する。また、直流電圧成分の重畳によりランプのカタホレシス現象が発生しやすくなる、などの欠点が生じる。
【００２３】
本発明はこのような点に鑑みてなされたものであり、直流電圧やパルス電圧を重畳させなくても、従来のランプ電流またはランプ電力を一定化する制御に比べて、さらに低光束まで安定して調光点灯させることが可能な低圧放電灯点灯装置を提供することを課題とする。
【課題を解決するための手段】
【００２４】
請求項１の発明は、上記の課題を解決するために、図１に示すように、直流電圧源Ｖｄｃから出力される直流電圧をスイッチングする１つ以上のスイッチング素子Ｑ１，Ｑ２と、前記スイッチング素子Ｑ１，Ｑ２を高周波でオン・オフする駆動回路８と、前記スイッチング素子Ｑ１，Ｑ２によりスイッチングされた電圧を印加されて放電灯ＬＡに共振電圧を供給する共振回路（インダクタＬ１、コンデンサＣ１）とで構成されるインバータ回路４を備える放電灯点灯装置において、放電灯ＬＡの電圧−電流特性との交点における前記インバータ回路４の電圧−電流特性の傾きが略一定の正の値となるように、前記直流電圧源Ｖｄｃから出力される直流電圧または前記スイッチング素子Ｑ１，Ｑ２のオン・オフを調整するフィードバック手段５を設けたことを特徴とするものである。
【００２５】
請求項２の発明は、請求項１の発明において、前記放電灯ＬＡの電圧−電流特性との交点における前記インバータ回路４の電圧−電流特性を１次関数式で表したとき、その切片を調光器９で実質的に可変とすることを特徴とする。
【００２６】
請求項３の発明は、請求項２の発明において、前記調光器９によって調整される１次関数式の切片は、連続的に可変とするか、または、調光時の設定値が定格点灯時の設定値の整数分の１になっていることを特徴とする。
【００２７】
請求項４の発明は、請求項１〜３の発明において、図６〜図８に示すように、前記フィードバック手段５のゲインを調光のレベルに応じて変化させることを特徴とする。
【００２８】
請求項５の発明は、請求項１〜４の発明において、図９、図１０に示すように、前記フィードバック手段５の機能を放電灯ＬＡの始動前はオフにし、放電灯ＬＡの始動後にオンにすることを特徴とする。
【００２９】
請求項６の発明は、請求項１〜５の発明において、図１１、図１２に示すように、前記フィードバック手段５は、放電灯ＬＡの電圧−電流特性との交点における前記インバータ回路４の電圧−電流特性の傾きが略一定の正の値となるように、前記直流電圧源Ｖｄｃから出力される直流電圧または前記スイッチング素子Ｑ１，Ｑ２のオン・オフを調整する第１のフィードバック機能と、放電灯ＬＡの電流Ｉｌａの検出値が略一定となるように、前記直流電圧源Ｖｄｃから出力される直流電圧または前記スイッチング素子Ｑ１，Ｑ２のオン・オフを調整する第２のフィードバック機能を、調光レベルに応じて切り替え可能としたことを特徴とする。
【００３０】
請求項７の発明は、請求項１〜６の発明において、図１３に示すように、ランプ電圧検出手段１１またはランプ電流検出手段１３を備え、ランプ電圧またはランプ電流のいずれかの検出信号が所定の閾値以上になると、インバータ回路４の出力を抑制するか、又は停止させる異常検出回路５１を設けたことを特徴とする。
【００３１】
請求項８の発明は、請求項１〜７の発明において、放電灯ＬＡの電圧−電流特性との交点におけるインバータ回路４の電圧−電流特性の傾きを演算する手段１０は、除算用アナログＩＣ、またはマイコン、またはデジタル・シグナル・プロセッサのいずれかであることを特徴とする。
【００３２】
請求項９の発明は、請求項１〜８の発明において、図１４に示すように、センサ１７を備え、センサ１７の出力に応じて調光レベルを変化させることを特徴とする。
【００３３】
請求項１０の発明は、請求項１〜９のいずれかに記載の低圧放電灯点灯装置が組み込まれた照明器具である（図１５）。
【発明の効果】
【００３４】
請求項１の発明によれば、放電灯の電圧−電流特性との交点におけるインバータ回路の電圧−電流特性の傾きが略一定の正の値となるように、直流電圧源から出力される直流電圧またはインバータ回路のスイッチング素子のオン・オフを調整するフィードバック手段を設けたから、従来のランプ電流フィードバックやランプ電力フィードバックといった制御に比べ、放電灯の電圧−電流特性とインバータ回路の電圧−電流特性の交点がより安定的に形成され、より低光束までの調光が可能となる。
【００３５】
請求項２または３の発明によれば、調光下限の光出力の調整が細かく行える。
請求項４の発明によれば、定格付近で無理にゲインを上げる必要がないので、フィードバック手段での発散が起こりにくい。また、調光が深いほどゲインを高くすることで、より立消えに強くなる。
請求項５の発明によれば、ランプが確実に始動してから、調光時に立消えしにくい本発明の制御を開始できる。
【００３６】
請求項６の発明によれば、定格電流が同じで定格電力が異なるランプを同一のインバータ回路で点灯することができ、かつ調光時に立消えしにくい利点がある。
請求項７の発明によれば、無負荷時やフィードバック手段での発散による異常時などに安全に回路の発振を弱めたり、停止したりできる。また、ランプ電圧検出手段またはランプ電流検出手段を異常検出回路と兼用することで、回路の簡易化が図れる。
請求項９の発明によれば、センサによる補正により照度を一定化したまま、低光束調光が可能である。
【図面の簡単な説明】
【００３７】
【図１】本発明の実施形態１の回路図である。
【図２】本発明の実施形態１の動作説明図である。
【図３】本発明の実施形態１の動作説明図である。
【図４】本発明の実施形態１の動作説明図である。
【図５】本発明の実施形態１の一変形例の回路図である。
【図６】本発明の実施形態２の回路図である。
【図７】本発明の実施形態２の動作説明図である。
【図８】本発明の実施形態２の一変形例の動作説明図である。
【図９】本発明の実施形態３の回路図である。
【図１０】本発明の実施形態３の動作説明図である。
【図１１】本発明の実施形態４の回路図である。
【図１２】本発明の実施形態４の動作説明図である。
【図１３】本発明の実施形態５の回路図である。
【図１４】本発明の実施形態６の回路図である。
【図１５】本発明の実施形態７の照明器具の外観を示す斜視図である。
【図１６】従来例１の構成を示すブロック図である。
【図１７】従来例１における蛍光ランプの特性を示す説明図である。
【図１８】従来例１の動作説明図である。
【図１９】従来例２の回路図である。
【図２０】従来例２の動作説明図である。
【図２１】従来例３の回路図である。
【図２２】従来例３の動作説明図である。
【発明を実施するための形態】
【００３８】
（実施形態１）
図１は本発明の実施形態１の基本構成を示す回路図である。直流電圧源Ｖｄｃには、スイッチング素子Ｑ１、Ｑ２の直列回路が接続されている。スイッチング素子Ｑ１、Ｑ２は駆動回路８により高周波でオン・オフされる。スイッチング素子Ｑ１、Ｑ２の接続点と直流電圧源Ｖｄｃの一端（ここでは負極）の間にはインダクタＬ１とコンデンサＣ１の直列共振回路が接続されている。コンデンサＣ１の一端にコンデンサＣ２の一端が接続されている。以上の回路により電子安定器（バラスト）としてのインバータ回路４を構成している。
【００３９】
また、コンデンサＣ２の他端とスイッチング素子Ｑ２のソース側端子間に蛍光ランプＬＡが接続されている。蛍光ランプＬＡには、ランプ電圧Ｖｌａを検出するＶｌａ検出回路１１が接続されている。Ｖｌａ検出回路１１の出力には、ランプ電圧Ｖｌａの変化量を検出するΔＶｌａ検出回路１２が接続されている。蛍光ランプＬＡのランプ電流経路には、ランプ電流Ｉｌａを検出するＩｌａ検出回路１３が接続されている。Ｉｌａ検出回路１３の出力には、ランプ電流Ｉｌａの変化量を検出するΔＩｌａ検出回路１４が接続されている。ΔＶｌａ検出回路１２の出力と、ΔＩｌａ検出回路１４の出力は演算手段１０に入力されている。演算手段１０はΔＶｌａの値をΔＩｌａの値で除算する演算手段である。
【００４０】
上記演算手段１０の出力信号はフィードバック手段５に入力されて、抵抗Ｒを介してオペアンプＯＰのマイナス側入力端子に印加されている。オペアンプＯＰのプラス側入力端子には調整可能な直流電圧αが基準電圧として印加されている。オペアンプＯＰのマイナス側入力端子と出力端子間にはコンデンサＣ３が接続され、いわゆる積分回路を構成している。また、オペアンプＯＰの出力はインバータ回路４の駆動回路８に入力され、ΔＶｌａ／ΔＩｌａが直流電圧αに応じた目標値に一致するようにフィードバック系が構成されている。ΔＶｌａ／ΔＩｌａはバラスト特性の傾きを示すものであり、これを基準値と等しくなるようにオペアンプＯＰによりフィードバック制御する。ここでは駆動回路８によりインバータ回路４のスイッチング周波数を制御しているが、スイッチング素子Ｑ１，Ｑ２のオン時間幅（デューティ）を制御しても良いし、直流電圧源Ｖｄｃの電圧を制御するように構成しても良い。
【００４１】
また、ランプ電流Ｉｌａを調整するために、Ｉｌａ検出回路１３の出力がフィードバック手段５に入力されて、抵抗Ｒ２を介してオペアンプＯＰ２のマイナス側入力端子に印加されている。オペアンプＯＰ２のプラス側入力端子には調光器９によって調整可能な直流電圧Ｖｄｉｍが基準電圧として印加されている。オペアンプＯＰ２のマイナス側入力端子と出力端子間にはコンデンサＣ４が接続され、いわゆる積分回路を構成している。オペアンプＯＰ２の出力はインバータ回路４の直流電圧源Ｖｄｃに帰還入力され、ランプ電流Ｉｌａが直流電圧Ｖｄｉｍに応じた目標値に一致するようにフィードバック系が構成されている。
【００４２】
直流電圧源Ｖｄｃは、例えば商用電源から昇圧チョッパ回路等のＰＦＣ回路（力率改善制御回路）を介して得ることができ、その電圧を調整するには、ＰＦＣ回路のスイッチング要素の周波数やデューティを変化させるなどすれば良い。調光の目標値となる直流電圧Ｖｄｉｍは、インバータ回路４の外部に設置された調光器９によって、その値を可変できるようになっている。
【００４３】
以下、本実施形態の動作について説明する。蛍光ランプＬＡの点灯時に、Ｖｌａ検出回路１１でランプ電圧Ｖｌａの実効値に相当する電圧を検出し、Ｉｌａ検出回路１３でランプ電流Ｉｌａの実効値に相当する電圧を検出する。更に、ΔＶｌａ検出回路１２でランプ電圧Ｖｌａの変化量ΔＶｌａを、ΔＩｌａ検出回路１４でランプ電流Ｉｌａの変化量ΔＩｌａを検出する。変化量ΔＶｌａ、ΔＩｌａは単位時間当たりの変化量を求めれば良い。そして、演算手段１０により、ΔＶｌａ／ΔＩｌａを演算する。なお、特殊な場合としてΔＩｌａ＝０の場合には、ランプの状態が安定していると言えるので、フィードバック制御は収束したものとみなして、演算手段１０は目標値αを出力するように構成すれば良い。本発明は低光束時にはランプ電流Ｉｌａが不安定となることを前提としているので、通常はΔＩｌａ≠０であり、ΔＶｌａ／ΔＩｌａの演算は可能である。
【００４４】
上記オペアンプＯＰと抵抗Ｒ、コンデンサＣ３で構成される積分回路の動作により、演算手段１０の出力ΔＶｌａ／ΔＩｌａは直流電圧αに略等しくなるようにフィードバック制御される。また、同時にオペアンプＯＰ２でＩｌａ検出回路１３からの検出信号をフィードバックして、ランプ電流Ｉｌａの調整を行う。
【００４５】
以上の動作を、図２を用いて具体的に説明する。図２は、横軸をランプ電流Ｉｌａ、縦軸をランプ電圧ＶｌａとしたときのＶ−Ｉ特性を示すもので、図中の（ａ）、（ｂ）はバラストのＶ−Ｉ特性、図中の（ｃ）はランプのＶ−Ｉ特性である。また、図中の一点鎖線は、フィードバック手段５の働いていない、所謂オープン状態におけるバラストのＶ−Ｉ特性（スイッチング周波数が一定の条件）を示している。
【００４６】
先述した演算手段１０のΔＶｌａ／ΔＩｌａというのは、バラストのＶ−Ｉ特性の傾きを演算していることに他ならない。したがって、このΔＶｌａ／ΔＩｌａが一定に制御される場合、バラストのＶ−Ｉ特性は図２の（ａ）や（ｂ）で示すような傾きが一定の直線になる。ランプ点灯時の動作点は、ランプのＶ−Ｉ特性とバラストのＶ−Ｉ特性の交点であるので、図中の（ａ）と（ｃ）の交点や（ｂ）と（ｃ）の交点が点灯時の動作点となる。
【００４７】
調光器９により直流電圧Ｖｄｉｍを変化させることにより、バラストのＶ−Ｉ特性は図２の（ａ）や（ｂ）で示すように傾きが一定で、切片が増減する１次関数となり、任意に調光が可能である。調光器９の出力信号は、直流電圧やＰＷＭ信号、あるいはバイナリーコードなどのデジタル信号であっても良い。
【００４８】
図３は、図２の交点付近を拡大表示した図である。図中の実線はランプのＶ−Ｉ特性、点線はバラストのＶ−Ｉ特性、一点鎖線は周波数一定条件下でのオープン状態でのバラストのＶ−Ｉ特性である。動作点である一点鎖線（ロ）とランプのＶ−Ｉ特性の交点付近において、バラストのＶ−Ｉ特性（点線）上の（ａ）、（ｂ）間の往復を繰返し、最終的には（ロ）点に収束する。フィードバック系のゲインが大きいほど、この（ａ）⇔（ｂ）間の往復幅は小さくなり、素早く収束することになる。ただし、ゲインを大きくし過ぎると、系が発散して交点から外れやすくなる。
【００４９】
ちなみに、交点を外れた場合には、バラストのＶ−Ｉ特性の点線上を無限に大きくなる方向へ進むわけではなく、外れた時点でのオープン状態での共振系（図中の一点鎖線）上の軌跡を推移することになる。例えば、（ｂ）点で外れた場合には（ハ）上を上方向へ推移する。これは、フィードバック系を用いない場合の無負荷状態と同じであり、ランプ電圧を検出して発振を停止させるなどの従来からの無負荷検出回路で対応することができる。
【００５０】
これまでの説明により、特に調光下限付近において、ランプ電流を一定化する制御（従来例１）やランプ電力を一定化する制御（従来例２）に比べて、ランプのＶ−Ｉ特性とバラストのＶ−Ｉ特性がさらにより垂直的に交わるため、動作点が安定的に形成され、調光下限をより深くすることができる。
【００５１】
演算手段１０にはアナログの除算器を用いても良く、あるいは、デジタルの除算器としてマイコンやＤＳＰ（デジタル・シグナル・プロセッサ）などを用いても良い。ΔＶｌａ／ΔＩｌａ一定化手段としてのフィードバック手段５もデジタル的に処理することが可能なため、調光器９からの入力もすべてデジタル信号に統一すれば、フィードバック回路全体がデジタル処理できることになり、全てをマイコン内で処理することができ、回路が簡易になり、小型化が実現可能である。
【００５２】
なお、検出回路１１，１３の出力は、例えば実効値に相当するような直流値とすることが望ましい。なぜなら、瞬時値で演算することも可能であり、その方が収束性は早まるが、瞬時値の場合は交流の正負が反転する際にランプ電流＝０となる点があるため除算時の出力が発散しやすくなり、それを補正する回路が別途必要になるためである。
【００５３】
負荷ＬＡが熱陰極型の蛍光ランプである場合、一般的に用いられているような調光に応じて予熱電流を増加させるような制御を組み合わせることで、更に低光束時の点灯安定性が高まる。
【００５４】
図４は、調光器９を用いた調光方法に関する説明図である。これまでに述べた制御に従い、図１における直流電圧Ｖｄｉｍを調光器９で連続的に変化させることで、バラスト特性の切片が実質上連続的に変化し、その結果、調光動作も連続的に行われることになる。これは、特にアナログ的に調光レベルを変化させる場合に適している。ところが、例えば、段調光であったり、マイコンなどを用いてデジタル的に制御する場合などでは、調光レベルの指令値は離散的になる。
【００５５】
図４において、定格点灯時の動作点を（ａ）とし、このときの基準電圧がＮ（Ｖ）であったとする。この点から調光する際、指令値をＮ／２、Ｎ／３、Ｎ／４、…と一定間隔で変化させたのが図４であり、定格点灯時の動作点（ａ）から始まって、（ｂ）、（ｃ）、（ｄ）、（ｅ）、…となるにつれ、調光が深くなっていく。各バラスト特性の切片は１／２倍、１／３倍、…と減少する一方で、ランプのＶ−Ｉ特性は図４に示すように下に凸の単調減少の曲線で表されるため、定格付近での変化幅に比べ、調光下限付近の調光幅の方が細かくなる。このため、調光下限付近における調光が自動的に狭い間隔で調整可能となり、動作ポイントの急変による立消えやジャンプが起こりにくくなる。
【００５６】
以上のように、本実施形態によれば、ランプのＶ−Ｉ特性とバラストのＶ−Ｉ特性の交点が垂直的に近づくため低光束まで調光可能である。特に低光束領域で、オープン制御とした場合のようにランプのＶ−Ｉ特性とバラストのＶ−Ｉ特性の交点を２つ持つことがないため、動作点がジャンプしにくい。また、無負荷などでフィードバック制御が外れた（閉ループが発散した）場合、動作点はＬＣ共振系上を推移するため、従来と同じ無負荷検出回路（例えばＶｌａ検知）で停止させることにより安全性が確保される。
【００５７】
以上の動作は簡易なフィードバック回路で実現可能であり、除算機能はマイコンなどで安価に実現できるから、コストダウンが可能となる。さらに、負荷が熱陰極型の蛍光ランプである場合には、調光下限付近ほど予熱電流を増加させるなどの予熱電流制御との組合せにより、更に低光束時の点灯安定性が高まる。
【００５８】
（実施形態１’）
図５は実施形態１の一変形例の回路図である。図１の基本回路構成では、バラストのＶ−Ｉ特性の傾きを一定化するフィードバック・ループと、ランプ電流Ｉｌａを調整するフィードバック・ループが別々に設けられているが、図５の回路では、図１におけるオペアンプＯＰ、オペアンプＯＰ２を用いた２つのフィードバック・ループを一つにまとめた例である。
【００５９】
演算手段１０の出力はフィードバック手段５の加算器５ａに入力されている。更に、ランプ電流Ｉｌａを調整するために、Ｉｌａ検出回路１３の出力が加算器５ａに入力されて、演算手段１０の出力に加算されている。加算器５ａの出力信号は、入力抵抗Ｒを介してオペアンプＯＰのマイナス側入力端子に印加されている。オペアンプＯＰのプラス側入力端子には調光器９によって調整可能な基準電圧となる直流電圧αが印加されている。オペアンプＯＰのマイナス側入力端子と出力端子間にはコンデンサＣ３が接続され、いわゆる積分回路を構成している。また、オペアンプＯＰの出力がインバータ回路４の駆動回路８に入力され、ΔＶｌａ／ΔＩｌａが直流電圧αに応じた目標値に一致するようにフィードバック系が構成されている。直流電圧αはインバータ回路４の外部に設置された調光器９によって、その値を可変できるようになっている。
【００６０】
図５の例では、傾きを一定化するフィードバック・ループとランプ電流Ｉｌａを調整するフィードバック・ループを１つのオペアンプＯＰにより兼用したため、調光に伴ってバラストのＶ−Ｉ特性の傾きも若干変化するが、図１に示した基本回路構成であれば、調光全区間で傾きを一定にできる。
【００６１】
以下に述べる実施形態では、バラストのＶ−Ｉ特性の傾きを一定化するフィードバック・ループと、ランプ電流Ｉｌａを調整するフィードバック・ループを兼用した図５の構成について、種々の変形例を説明するが、２つのフィードバック・ループを別々に設けても良いことは言うまでも無い。
【００６２】
（実施形態２）
図６は本発明の実施形態２の回路図である。図５に示した構成と異なる点は、抵抗Ｒと直列に抵抗Ｒ’が接続されており、抵抗Ｒ’と並列にスイッチＳＷ１が接続されている点である。スイッチＳＷ１は調光器９の信号に応じて、オン・オフを切り替えられる。他の構成は図５と同じであるため、重複する説明を省略する。
【００６３】
本実施形態は、調光動作の途中でフィードバックのゲインを変化させる例である。スイッチＳＷ１がオンのときは、抵抗Ｒ’が短絡されているため、回路動作としては図５と同様となる。このとき、フィードバック手段５の積分ゲインＧ１は、Ｇ１＝１／（２πｆ・Ｃ３・Ｒ）となる。ここで、ｆは周波数である。
【００６４】
スイッチＳＷ１がオフのときは、抵抗Ｒ’が開放のため、フィードバック手段５の積分ゲインＧ２は、Ｇ２＝１／（２πｆ・Ｃ３・（Ｒ＋Ｒ’））となる。したがって、スイッチＳＷ１をオフしたときの方が、積分ゲインが小さくなる。
【００６５】
図７を用いて具体的な回路動作を説明する。調光レベルに応じてスイッチＳＷ１のオン、オフが切替わるように設定する。一点鎖線より左側ではスイッチＳＷ１はオン、一点鎖線より右側ではスイッチＳＷ１はオフとなるように制御する。このように制御することにより、定格点灯付近では比較的緩いフィードバック・ゲインで制御され、調光が深い領域では、比較的強いフィードバック・ゲインで制御される。上記フィードバック・ゲインの大小を図７では概念的に矢印の長さで示している。矢印が長い程、収束するまでに時間が掛かることを示している。
【００６６】
図８はゲインを変化させる別の例について、ランプ電流ＩｌａとゲインＧの関係だけ示している。図中（ｂ）の一点鎖線は定格点灯時を示しており、また、（ａ）の一点鎖線はゲインの増減の折り返し点を示している。定格点灯での動作点から徐々に調光させていくと、バラストのＶ−Ｉ特性とランプのＶ−Ｉ特性の（接線の）交点の角度は、鈍角（鋭角）より徐々に垂直に変化し、それを過ぎると鋭角（鈍角）になっていく。このため、最も垂直になる点でのゲインは（ａ）点で示すようにゲインを最小値にしておき、その点より離れる度合に応じてゲインを連続的に上げる。なお、図８の動作を実現するための回路は図示していないが、先述のスイッチＳＷ１の代わりに抵抗Ｒを連続的に可変制御したり、あるいはコンデンサＣ３の容量を連続的に可変制御するように構成すれば良い。
【００６７】
本実施形態によれば、定格付近で無理にフィードバック手段のゲインを上げる必要がないので、フィードバック手段での発散が起こりにくい。また、調光が深いほど、ゲインを高くすることで、より立消えに強くなる。さらに、ゲインの最小点をバラストのＶ−Ｉ特性とランプのＶ−Ｉ特性（の接線）が垂直に交わる点とし、そこから離れるほどゲインを高くすることで、調光の全区間に渡って、立消えしにくくなる。
【００６８】
（実施形態３）
図９は本発明の実施形態３の回路図である。図５と異なる点は、フィードバック手段５の出力と駆動回路８の入力の間にスイッチＳＷ２を挿入し、Ｉｌａ検出回路１３の検出出力に応じて、スイッチＳＷ２のオン・オフを切り替える回路を追加した点である。他の部分は図５と同じであるため、重複する説明は省略する。
【００６９】
本実施形態は、予熱、始動、点灯といったシーケンスを伴う熱陰極型の蛍光ランプの具体的な始動制御の一例である。これまで述べてきた動作は点灯中におけるものであり、ランプが始動するまでは動作しないことが望ましい。そのため、ランプＬＡが高電圧印加によって始動するまでは、スイッチＳＷ２をオフして、フィードバック制御を確実に不動作にしておき、始動後、ランプ電流が流れているのを検知してからスイッチＳＷ２をオンに切り替えることにより、これまで述べてきたフィードバック動作を開始させる。
【００７０】
図１０により本実施形態の動作を説明する。図中、（ａ）はスイッチＳＷ２のオン・オフ状態であり、（ｂ）はランプ端に印加される電圧を示している。予熱時はランプ端に電圧が印加され、ランプのフィラメントに予熱電流が流れるが、ランプ電流は流れない。始動時にランプ端に高圧の電圧が印加されて、ランプ内部で放電破壊を生じ、ランプ電流が流れ始める。このランプ電流が流れ始めたことをＩｌａ検出回路１３で検知して、スイッチＳＷ２をオンさせる。点灯後の動作はこれまで述べてきたのと同様である。
【００７１】
本実施形態によれば、ランプが確実に始動してから、調光時の立消えに強い本発明のフィードバック制御を開始できる。
【００７２】
（実施形態４）
図１１は本発明の実施形態４の回路図である。図５と異なる点は、フィードバック手段５の入力として、Ｉｌａ検出回路１３の出力と演算手段１０の出力とが選択的に切替可能なスイッチＳＷ３を設け、調光器９の出力に応じて、スイッチＳＷ３を切り替える回路を追加した点である。他の部分は図５と同じであるため、重複する説明は省略する。
【００７３】
本実施形態は、調光レベルに応じてフィードバック制御の対象を切り替える例である。すなわち、調光レベルに応じて、スイッチＳＷ３を切替えることで、スイッチＳＷ３がＩｌａ検出回路１３の出力に接続されているときには、ランプ電流Ｉｌａが一定となるように制御され、スイッチＳＷ３が演算手段１０の出力に接続されているときには、バラストのＶ−Ｉ特性の傾きが一定となるように制御される。
【００７４】
図１２は、本実施形態の制御を適用した場合の動作説明図である。調光レベルに応じて、一点鎖線より右側ではスイッチＳＷ３をＩｌａ検出回路１３の側に、一点鎖線より左側ではスイッチＳＷ３を演算手段１０の側に切替えることで、定格付近の（イ）点では、ランプ電流Ｉｌａが一定となるようにフィードバック制御される。また、深い調光時の（ロ）点や（ハ）点では、バラストのＶ−Ｉ特性の傾きが一定となるように制御される。
【００７５】
このように制御することで、例えば、定格電流が同じで定格電力が異なるランプを同一のインバータ回路で点灯させることが可能であり、かつ、調光時には、これまで述べたように立消えに強い回路を構成することができる。
【００７６】
なお、本実施形態では、バラストのＶ−Ｉ特性の傾きを一定化するフィードバック制御と、ランプ電流Ｉｌａを一定化するフィードバックとの間での切り替えとしたが、切り替えの対象はランプ電流Ｉｌａを一定化するフィードバック制御に限ったものではなく、例えば、従来からあるようなランプ電力Ｗｌａを一定化するフィードバック制御との切替でも構わない。その場合には、別途、ランプ電力Ｗｌａまたはそれに比例する値を算出する回路を追加する必要がある。
【００７７】
本実施形態によれば、定格電流が同じで定格電力が異なるランプを同一のインバータ回路で点灯でき、かつ、調光時に立消えしにくい。
【００７８】
（実施形態５）
図１３は本発明の実施形態５の回路図である。図５と異なる点は、Ｖｌａ検出回路１１の出力を受けて異常を検出する異常検出回路５１が付加された点である。異常検出回路５１の出力は駆動回路８に入力されている。他の部分は図５と同じであるため、重複する説明は省略する。
【００７９】
本実施形態は、Ｖｌａ検出回路１１の出力を異常検出の用途に兼用した場合の実施形態である。すなわち、Ｖｌａ検出回路１１の出力結果をフィードバック制御にのみ使用するのではなく、異常検出にも兼用することで、回路を簡単に構成することができる。異常検出回路５１では、ランプ電圧Ｖｌａの検出値が予め決められた閾値を越えた場合に、インバータ回路４の発振出力を弱めたり、停止させるなどすれば良い。
【００８０】
本実施形態では、Ｖｌａ検出回路１１の出力を異常検出の用途に兼用する例を説明したが、例えば、Ｉｌａ検出回路１３の出力で異常を検出したり、あるいは両方の値で異常を検出しても良い。
【００８１】
本実施形態によれば、ランプ電圧やランプ電流の検出回路を異常検出の用途にも兼用することで、回路の簡易化を図りながら、無負荷時やフィードバック手段での発散による異常時などに安全にインバータ回路の発振出力を弱めたり、停止したりできる。
【００８２】
（実施形態６）
図１４は本発明の実施形態６の回路図である。図５と異なる点は、調光器９の出力に、照度センサ１７による出力が重畳された点であり、他の部分は図５と同じであるため、重複する説明は省略する。
【００８３】
本実施形態は、照度センサ１７による光出力の補正を行う場合の実施形態である。実施形態１で説明した制御によると、例えば、ランプＬＡの周囲温度特性などにより、ランプのＶ−Ｉ特性が変化した場合、動作点はあくまでバラストのＶ−Ｉ特性の線上を移動することになる。
【００８４】
すると、例えば、図２の（ａ）との交点で動作していたものが、ランプのＶ−Ｉ特性の変化によって、図２の（ａ）の線上を右上または左下方向に動作点が移動することになる。立消え回避の観点だけであれば、これで問題ないが、交点が右上または左下に移動するのは、各々ランプ電力が増大／減少していることになり、見た目の照度も増減してしまうことになる。
【００８５】
そこで、図１４に示すように照度センサ１７の出力を加算器１９に入力し、調光器９からの調光信号に加算することにより、照度が一定となるように補正する。これにより、調光器９の出力に照度センサ１７による補正信号が重畳されることになる。照度センサ１７の出力が大きい程、調光器９の出力に重畳される信号が大きくなるため、より調光を深くする方向に制御することになる。この制御により、照度が一定化される。反対に、照度センサ１７の出力が小さい程、調光器９の出力に重畳される信号が小さくなるため、調光の度合が浅くなり、この制御により照度が一定化される。
【００８６】
本実施形態によれば、照度センサ１７による補正により照度を一定化したまま、ランプＬＡの低光束調光時の安定点灯が可能となる。
【００８７】
なお、本実施形態では、照度センサ１７の例について説明したが、これに限らず、他のセンサ（例えば周囲温度センサ等）の出力信号を調光器９の出力に重畳しても良いことは言うまでもない。
【００８８】
（実施形態７）
実施形態１〜６のいずれかの低圧放電灯点灯装置を搭載された照明器具の外観を図１５に例示する。照明器具４０は、実施形態１〜６のいずれかに記載の放電灯点灯装置を組み込んだ器具本体４１と、放電灯点灯装置と蛍光ランプＬＡを電気的に接続するための一対のソケット４２とを備え、ソケット４２には蛍光ランプＬＡのフィラメント電極が着脱自由に装着される。ここでは、負荷として直管型の蛍光ランプを例示したが、丸型蛍光ランプやコンパクト形蛍光ランプあるいは二重環形蛍光ランプの点灯装置に本発明を適用しても構わない。本実施形態によれば、低光束まで安定した調光点灯が可能な照明器具を実現できる。
【符号の説明】
【００８９】
Ｖｄｃ  直流電圧源
Ｑ１    スイッチング素子
Ｑ２    スイッチング素子
４      インバータ回路
５      フィードバック手段
８      駆動回路
ＬＡ    放電灯
【図１】
2010218961.tif 000003
【図２】
2010218961.tif 000004
【図３】
2010218961.tif 000005
【図４】
2010218961.tif 000006
【図５】
2010218961.tif 000007
【図６】
2010218961.tif 000008
【図７】
2010218961.tif 000009
【図８】
2010218961.tif 000010
【図９】
2010218961.tif 000011
【図１０】
2010218961.tif 000012
【図１１】
2010218961.tif 000013
【図１２】
2010218961.tif 000014
【図１３】
2010218961.tif 000015
【図１４】
2010218961.tif 000016
【図１５】
2010218961.tif 000017
【図１６】
2010218961.tif 000018
【図１７】
2010218961.tif 000019
【図１８】
2010218961.tif 000020
【図１９】
2010218961.tif 000021
【図２０】
2010218961.tif 000022
【図２１】
2010218961.tif 000023
【図２２】
2010218961.tif 000024